(57)【要約】【課題】  外部光によるホログラム用記録媒体の感光を確実に防止する。【解決手段】外部光を遮光する遮光カートリッジ筐体４５の内部に収納したホログラム用記録媒体３を外部へと繰り出す繰出開口部４８に対応位置してフィルム部材７８を設け、このフィルム部材７８が、非ホログラム画像記録装置装填時には繰出開口部４８を閉塞するとともに、ホログラム画像記録装置装填時には繰出開口部４８を開口させて露光記録部Ｐ１に延在位置し、繰出開口部４８から繰り出されたホログラム用記録媒体３を走行ガイドさせる。【選択図】図１１
2008112174.tif 000002
【特許請求の範囲】
【請求項１】
長尺のホログラム用記録媒体を収納し、繰り出した上記ホログラム用記録媒体に対して視差画像列の各要素画像に基づいて画像変調された物体レーザ光と、この物体レーザ光に対して可干渉性を有する参照レーザ光とが入射されることにより生じる干渉縞が要素ホログラムとして順次露光記録されるホログラム画像記録装置に装填して用いられるホログラム画像記録媒体カートリッジにおいて、
内部に収納した上記ホログラム用記録媒体を繰出開口部から外部へと繰り出す外部光を遮光する遮光カートリッジ筐体の上記繰出開口部に対応位置してフィルム部材を設け、
上記フィルム部材が、非ホログラム画像記録装置装填時には上記繰出開口部を閉塞するとともに、ホログラム画像記録装置装填時には上記繰出開口部を開口させて上記露光記録部に延在位置し、上記繰出開口部から繰り出された上記ホログラム用記録媒体を走行ガイドすることを特徴とするホログラム画像記録媒体カートリッジ。
【請求項２】
上記フィルム部材は、非ホログラム画像記録装置装填時に上記繰出開口部を閉塞する部位が遮光特性を付与されて構成されることを特徴とする請求項１に記載のホログラム画像記録媒体カートリッジ。
【請求項３】
上記遮光カートリッジ筐体には、上記ホログラム画像記録装置に装填された状態で、このホログラム画像記録装置側に設けられた位置決め手段と相対係合する位置決め手段が設けられていることを特徴とする請求項１に記載のホログラム画像記録媒体カートリッジ。
【請求項４】
上記遮光カートリッジ筐体には、上記ホログラム画像記録装置に装填された状態で上記露光記録部に臨ませられて上記ホログラム用記録媒体に上記物体レーザ光又は上記参照レーザ光を入射させる光学部品が付設されていることを特徴とする請求項１に記載のホログラム画像記録媒体カートリッジ。
【請求項５】
上記光学部品が、導光性剛体材により形成され、一方の面から上記物体レーザ光又は上記参照レーザ光が入射されるとともに相対する他方の面に上記ホログラム用記録媒体が接触した状態で走行する導光ブロック材と、外部光を遮光する遮光基板とを有することを特徴とする請求項４に記載のホログラム画像記録媒体カートリッジ。
【請求項６】
上記導光ブロック材には、上記ホログラム用記録媒体が接触した状態で走行する上記他方の面に、上記ホログラム用記録媒体が滑らかに接触するように、両端の供給部と繰出部が円弧状に形成されることを特徴とする請求項５に記載のホログラム画像記録媒体カートリッジ。
【請求項７】
上記導光ブロック材には、上記ホログラム画像記録装置に装填された状態で、このホログラム画像記録装置側に設けられた位置決め手段と相対係合する位置決め手段が設けられていることを特徴とする請求項５に記載のホログラム画像記録媒体カートリッジ。
【請求項８】
上記遮光カートリッジ筐体には、上記ホログラム画像記録装置に装填された状態で上記露光記録部に臨ませられ、上記ホログラム用記録媒体を透過する上記物体レーザ光を拡散させる一次元拡散板機能をもつ光学部品が設けられたことを特徴とする請求項１に記載のホログラム画像記録媒体カートリッジ。
【請求項９】
上記遮光カートリッジ筐体には、上記ホログラム画像記録装置に装填された状態で上記露光記録部に臨ませられ、上記ホログラム用記録媒体に対する上記物体レーザ光又は上記参照レーザ光の入射角を規制する角度選択性ルーバ機能をもつ光学部品が設けられたことを特徴とする請求項１に記載のホログラム画像記録媒体カートリッジ。
【請求項１０】
上記ホログラム用記録媒体は、上記遮光カートリッジ筐体内に回転自在に収納された巻芯の外周部に巻回されることを特徴とする請求項１に記載のホログラム画像記録媒体カートリッジ。
【請求項１１】
上記巻芯は、剛体巻芯であることを特徴とする請求項１０に記載のホログラム画像記録媒体カートリッジ。
【請求項１２】
上記剛体巻芯には、その外周部に上記ホログラム用記録媒体がその端部を幅１０ｍｍ当たり１Ｎ以上の接合強度を以って接合されることを特徴とする請求項１１に記載のホログラム画像記録媒体カートリッジ。
【請求項１３】
上記剛体巻芯には、その外周部に上記ホログラム用記録媒体が１Ｎ／ｃｍ以上の巻付力を以って巻回されることを特徴とする請求項１１に記載のホログラム画像記録媒体カートリッジ。
【請求項１４】
上記遮光カートリッジ筐体には、上記繰出開口部に対応する内部に上記ホログラム用記録媒体の表面を摺擦してクリーニング処理を施すクリーニング手段が設けられることを特徴とする請求項１に記載のホログラム画像記録媒体カートリッジ。
【請求項１５】
上記遮光カートリッジ筐体には、上記繰出開口部から繰り出される上記ホログラム用記録媒体又は上記フィルム体に対してインデックスマッチング液を供給する液体供給手段が設けられたことを特徴とする請求項１に記載のホログラム画像記録媒体カートリッジ。
【請求項１６】
上記遮光カートリッジ筐体には、上記繰出開口部から繰り出される上記ホログラム用記録媒体に対して走行制動を行うブレーキ手段が付設されたことを特徴とする請求項１記載のホログラム画像記録媒体カートリッジ。
【請求項１７】
上記ブレーキ手段は、上記ホログラム画像記録装置に装填された状態で、上記露光記録部に臨ませられて上記ホログラム用記録媒体に上記物体レーザ光又は上記参照レーザ光を入射させる光学部品と、この光学部品を上記ホログラム用記録媒体側に付勢して支持する弾性部材とから構成されたことを特徴とする請求項１６に記載のホログラム画像記録媒体カートリッジ。
【請求項１８】
上記ブレーキ手段は、上記ホログラム用記録媒体を挟んで対向配置されそれぞれ所定の機能光学部品を有する物体レーザ光入射部構体と参照レーザ光入射部構体とから構成された上記露光記録部構体と、この露光記録部構体の上記物体レーザ光入射部構体と参照レーザ光入射部構体のいずれか一方に設けられ、上記機能光学部品を他方側の上記機能光学部品へと付勢して支持する弾性部材とから構成され、
上記弾性部材の弾性力により相対する上記機能光学部品が上記ホログラム用記録媒体を挟持することにより走行制動を行うことを特徴とする請求項１６記載のホログラム画像記録媒体カートリッジ。
【発明の詳細な説明】
【技術分野】
【０００１】
本発明は、実写画像やコンピュータ生成画像等を３次元認識することができるホログラフィックステレオグラムを作成するためのホログラム画像記録装置に装填されて用いられるホログラム画像記録媒体カートリッジに関する。
【背景技術】
【０００２】
ホログラフィックステレオグラムは、被写体を異なる観察点から順次撮像することにより得られた多数の画像を原画として、これらを１枚のホログラム用記録媒体に短冊状又はドット状の要素ホログラムとして順次露光記録することによって作成される。このホログラフィックステレオグラムは、使用者がこれをある位置から片方の目で見た場合に各要素ホログラムの一部分の画像情報の集合体である二次元画像が識別され、また、この位置から水平に移動した他の位置で見た場合に各要素ホログラムの別の部分の画像情報の集合体である二次元画像が識別される。したがって、ホログラフィックステレオグラムにおいては、使用者がこれを両目で見た場合に左右の目の視差により、露光記録画像が３次元画像として認識される。
【０００３】
上述したホログラフィックステレオグラムは、一般に図１７（Ａ）に示すホログラフィックステレオグラム作成装置１００によって作成される。ホログラフィックステレオグラム作成装置１００は、単一波長で干渉性の良いレーザ光Ｌ１０を出射するレーザ光源１０１と、出射されたレーザ光Ｌ１０を物体レーザ光Ｌ１１と参照レーザ光Ｌ１２とに分割するハーフミラー１０２と、物体レーザ光Ｌ１１の光学系を構成する光学部品１０３乃至１０７及び表示器１０８と、参照レーザ光Ｌ１２の光学系を構成する光学部品１０９乃至１１１と、物体レーザ光Ｌ１１と参照レーザ光Ｌ１２とが集光するホログラム用記録媒体１１２を保持し、または走行駆動する電動ステージ１１３等によって構成されている。
【０００４】
物体レーザ光Ｌ１１の光学系は、具体的には、光軸に沿ってその入力側からそれぞれ順に配列された全反射ミラー１０３と、物体レーザ光Ｌ１１を一次元方向に拡散させる第１のシリンドリカルレンズ１０４と、拡散された物体レーザ光Ｌ１１を平行レーザ光化するコリメータレンズ１０５と、投影レンズ１０６と、物体レーザ光Ｌ１１を露光記録部Ｐ１００のホログラム用記録媒体１１２に導く第２のシリンドリカルレンズ１０７とから構成される。表示器１０８は、透過型の液晶パネルによって構成され、コリメータレンズ１０５と投影レンズ１０６との間に配設されている。表示器１０８には、図示しない画像処理部から出力された画像データに基づく画像が表示される。
【０００５】
参照レーザ光Ｌ１２の光学系は、具体的には、光軸に沿ってその入力側からそれぞれ順に配列された、参照レーザ光Ｌ１２を一次元方向に拡散させるシリンドリカルレンズ１０９と、拡散された参照レーザ光Ｌ１２を平行レーザ光化するコリメータレンズ１１０と、参照レーザ光Ｌ１２を反射させてホログラム用記録媒体１１２へと導く全反射ミラー１１１とから構成される。
【０００６】
ホログラム用記録媒体１１２は、例えば感光フィルムからなり、図１７（Ａ）に示すように、電動ステージ１１３に保持されており、この電動ステージ１１３が駆動することによって、同図（Ｂ）に示す矢印ｂの方向へと間欠的に走行駆動される。
【０００７】
レーザ光Ｌ１０は、図１７（Ａ）に示すように、レーザ光源１０１から出射されてハーフミラー１０２に入射され、このハーフミラー１０２によって物体レーザ光Ｌ１１と参照レーザ光Ｌ１２とに分割される。
【０００８】
物体レーザ光Ｌ１１は、シリンドリカルレンズ１０４、コリメータレンズ１０５を介して表示器１０８に入射されるとともに、この表示器１０８を透過する際に表示された要素画像に応じて画像変調される。画像変調された物体レーザ光Ｌ１１は、投影レンズ１０６、シリンドリカルレンズ１０７を介して露光記録部Ｐ１００に位置するホログラム用記録媒体１１２に入射される。また、参照レーザ光Ｌ１２は、シリンドリカルレンズ１０９、コリメータレンズ１１０及び全反射ミラー１１１の光学系を介して露光記録部Ｐ１００に位置するホログラム用記録媒体１１２に入射される。
したがって、ホログラム用記録媒体１１２には、表示器１０８に表示された映像により画像変調された物体レーザ光Ｌ１１と参照レーザ光Ｌ１２との干渉によって生じる干渉縞を要素ホログラムとして短冊状又はドット状に順次露光記録される。
【発明の開示】
【発明が解決しようとする課題】
【０００９】
ホログラフィックステレオグラム作成装置１００には、例えば図１５に示したホログラム用記録媒体３が用いられる。ホログラム用記録媒体３は、テープ状のフィルムベース材４上に光重合型フォトポリマからなるフォトポリマ層５が形成されるとともに、このフォトポリマ層５上にカバーシート層６が被着形成された、いわゆるフィルム塗布型記録媒体である。
【００１０】
このホログラム用記録媒体３について、図１６を参照して、要素ホログラムの露光記録原理を説明する。ホログラム用記録媒体３は、図１６（Ａ）に示すように、フォトポリマ層５を構成する光重合型フォトポリマが、初期状態においてはマトリクスポリマ中にモノマＭが均一に分散している状態にある。光重合型フォトポリマは、１０ｍＪ／ｃｍ2乃至４００ｍＪ／ｃｍ2 のパワーをもつレーザ光ＬＡが照射されることによって、図１６（Ｂ）に示すように、露光部においてマトリクスポリマ中に均一に分散していたモノマＭが重合してポリマ化した状態となる。
【００１１】
光重合型フォトポリマは、ポリマ化するにつれて、モノマＭが周囲から移動することによるモノマＭの濃度が不均一な状態となることにより、露光部と未露光部とで屈折率の変調が生じる。光重合型フォトポリマは、この後、図１６（Ｃ）に示すように、１０００ｍＪ／ｃｍ2 程度のパワーの紫外線又は可視光ＬＢが全面に照射されることによって、マトリクスポリマ中においてモノマＭの重合が完了する。ホログラム用記録媒体３は、このようにフォトポリマ層５を構成する光重合型フォトポリマが、入射されたレーザ光ＬＡに応じて屈折率が変化することから、物体レーザ光Ｌ２と参照レーザ光Ｌ３との干渉によって生じる干渉縞を屈折率の変化として露光記録する。
【００１２】
ホログラフィックステレオグラム作成装置１００は、ホログラム用記録媒体３として、上述した光重合型フォトポリマによってフォトポリマ層５を構成したフィルム塗布型記録媒体を用いたことにより、露光後にこのホログラム用記録媒体３に特別な現像処理を施す工程が不要とされる。したがって、ホログラフィックステレオグラム作成装置１００は、現像装置等が不要とされることによってその構成を簡易化することができるとともに、ホログラフィックステレオグラムを迅速に作成することができる。
ところで、ホログラム用記録媒体３は、上述したように光重合型フォトポリマによってフォトポリマ層５が構成されることから、外部光によって露光されてしまう。したがって、ホログラム用記録媒体３は、外部光を遮光した特殊な環境条件の下でホログラフィックステレオグラム作成装置１００に装填されるようにしなければならず、その取り扱いが面倒であった。また、ホログラフィックステレオグラム作成装置１００は、装填されたホログラム用記録媒体３に対して外部光を遮光した状態で露光記録部Ｐ１００へと走行させる構造が必要であった。
【００１３】
一方、上述したホログラフィックステレオグラム作成装置１００においては、露光記録部Ｐ１００に位置されたホログラム用記録媒体１１２に物体レーザ光Ｌ１１と参照レーザ光Ｌ１２とが入射されて各要素ホログラムが露光記録される際に振動等が加えられると、作成されるホログラフィックステレオグラムに影響が生じるといった問題があった。すなわち、ホログラフィックステレオグラム作成装置１００においては、ホログラム用記録媒体１１２に対してレーザ光Ｌ１０の波長程度の微小な振動等が加えられた場合にも、このホログラム用記録媒体１１２に露光記録される干渉縞の状態が不安定となって露光記録される要素ホログラムの一部に回折効率や明るさの低下といった現象が生じてしまう。また、ホログラフィックステレオグラム作成装置１００は、更に大きな振動等が加えられた場合には、ホログラム用記録媒体１１２に対する要素ホログラムの露光記録が全く行われないという問題が生じる。
【００１４】
ホログラフィックステレオグラムは、上述した振動等の影響によってホログラム用記録媒体１１２に一部の要素ホログラムがその回折効率を低くした状態で露光記録されている場合に、再生時において当該要素ホログラムのみが暗くなって再生されることから、画像の均一性が低下してしまう。
【００１５】
このため、ホログラフィックステレオグラム作成装置１００には、一般に、ホログラム用記録媒体１１２に要素ホログラムが安定した状態で露光記録されるようにするために、外部から加えられる振動等を抑制するとともに、加えられた振動等を素早く減衰させる防振装置が付設される。防振装置は、上述したレーザ光源１０１や光学系を構成する各光学部品を搭載した基板と装置筐体との間に適宜配設されたエアダンパやスプリング等によって構成される。
【００１６】
また、ホログラフィックステレオグラム作成装置１００においては、ホログラム用記録媒体１１２を保持して走行駆動するガイド手段や駆動手段によって生じるホログラム用記録媒体１１２の振動対策も重要とされている。ガイド手段や駆動手段は、露光記録部Ｐ１００においてホログラム用記録媒体１１２に要素ホログラムを露光記録中にはこのホログラム用記録媒体１１２を完全に固定してレーザ光Ｌ１０の波長程度の微小な振動も生じさせないようにする機能が必要とされる。ガイド手段や駆動手段は、ホログラム用記録媒体１１２に対する要素ホログラムの露光記録が終了すると、このホログラム用記録媒体１１２を速やかに走行駆動させるとともに、所定量を走行して停止させる場合にはこの走行動作に伴う振動を速やかに停止させる機能を備えることが必要とされる。
【００１７】
しかしながら、従来のホログラフィックステレオグラム作成装置１００は、電動ステージ１１３によって走行駆動されたホログラム用記録媒体１１２が、停止後に、走行駆動によって生じた振動が減衰するまでに約２秒を要していた。したがって、従来のホログラフィックステレオグラム作成装置１００は、電動ステージ１１３を用いて要素ホログラムを露光記録する毎に、ホログラム用記録媒体１１２の振動が停止するまでの時間を必要とし、１つのホログラフィックステレオグラムを作成するまでに長い時間を要していた。
【００１８】
このため、従来のホログラフィックステレオグラム作成装置１００には、上述した電動ステージ１１３に代えて、ホログラム用記録媒体１１２の振動を抑制する機能を備えたガイド手段や駆動手段からなる駆動機構も備えられる。かかるホログラフィックステレオグラム作成装置１００は、例えばホログラム用記録媒体１１２を、トーションコイルばね等によって所定の引張りテンションが付与された２本の平行ローラの間に掛け渡すとともに、光学部品を押し当てながら物体レーザ光Ｌ１１と参照レーザ光Ｌ１２とを入射させて要素ホログラムの露光記録を行うように構成されている。
【００１９】
かかるホログラフィックステレオグラム作成装置１００によれば、引張りテンションが付与されるとともに光学部品によって抑えられることによって、所定量を走行駆動されたホログラム用記録媒体１１２が停止してこの走行動作に伴って発生した振動の減衰に要するまでにその時間が１／４以下にまで低減されるようになる。しかしながら、ホログラフィックステレオグラム作成装置１００は、ガイド手段や駆動手段の構造が複雑な機構となることが避けられないといった問題があった。
【００２０】
上述した各駆動機構は、ホログラム用記録媒体１１２に生じる振動を抑制するために、このホログラム用記録媒体１１２に光学部品を弾接させて走行制動を行うように構成されることから、光学部品が磨耗したり傷が付いたりする。したがって、ホログラフィックステレオグラム作成装置１００は、所定枚数のホログラフィックステレオグラムを作成すると、光学部品を取り外して研磨した後、これを再度取り付けたり、若しくは新しいものに取り替えるといったメンテナンスが行われる。しかしながら、光学部品は、露光記録部Ｐ１００を構成する部材でもあり、ホログラフィックステレオグラム作成装置１００に対して正確に位置決めして取り付けなければならず、メンテナンス性を低下させていた。
【００２１】
なお、従来のホログラフィックステレオグラム作成装置１００においては、他の駆動機構として、トーションコイルばねを用いずに、平行ローラのうちの１本に、スリップ材を常時逆回転させているモータからの駆動力を伝達することにより、所定のトルクを発生させるように構成したものも用いられている。しかしながら、かかるホログラフィックステレオグラム作成装置１００は、モータが露光記録中でも回転していることから内部振動が生じて露光記録される要素ホログラムが不安定となり、作成されるホログラフィックステレオグラムの品質が劣化するといった問題点があった。
【００２２】
ホログラフィックステレオグラム作成装置１００においては、内部に塵埃等が侵入してホログラム用記録媒体１１２に付着すると、要素ホログラムの露光記録特性に影響を及ぼすといった問題がある。したがって、ホログラフィックステレオグラム作成装置１００には、供給部から露光記録部Ｐ１００へと繰り出されるホログラム用記録媒体１１２にクリーニングを施すクリーニング部材が備えられる。クリーニング部材は、例えば不織布等からなり、走行されるホログラム用記録媒体１１２の表面を摺擦して付着した塵埃等を払拭除去する。
【００２３】
ホログラフィックステレオグラム作成装置１００は、ホログラム用記録媒体１１２に対するクリーニング効率を保持するために、所定枚数のホログラフィックステレオグラムを作成した状態でクリーニング部材を交換するメンテナンスが行われる。このメンテナンスを行う場合には、当然ホログラフィックステレオグラム作成装置１００が開放操作されることから、ホログラム用記録媒体１１２が外部光によって露光されてしまう。
【００２４】
ホログラフィックステレオグラム作成装置１００には、光学部品に対して安定した状態で密着させるために、インデックスマッチング液をホログラム用記録媒体１１２に対して供給する機構も付設される。ホログラフィックステレオグラム作成装置１００は、ホログラム用記録媒体１１２の使用量に応じてインデックスマッチング液も消費されることからこれを補充するメンテナンスが行われる。このメンテナンスを行う場合にも、当然ホログラフィックステレオグラム作成装置１００が開放操作されることから、ホログラム用記録媒体１１２が外部光によって露光されてしまう。
【００２５】
ところで、ホログラム用記録媒体１１２は、一般に遮光カートリッジ筐体内に収納されてカートリッジの態様で提供される。カートリッジは、ホログラフィックステレオグラム作成装置１００に装填されることにより、ホログラム用記録媒体１１２を遮光カートリッジ筐体に設けた繰出開口部から露光記録部Ｐ１００へと連続して引き出して要素ホログラムの露光記録が行われるようにする。カートリッジは、一旦繰出開口部が開けられると、この繰出開口部から進入する外部光によりホログラム用記録媒体１１２を感光させてしまう。このため、カートリッジは、ホログラム用記録媒体１１２が余っていても途中でホログラフィックステレオグラム作成装置１００からの取り出しが禁止されていた。
【００２６】
本発明は、外部光によるホログラム用記録媒体の感光を確実に防止するホログラム画像記録媒体カートリッジを提供することを目的としたものである。
【課題を解決するための手段】
【００２７】
上述した目的を達成する本発明にかかるホログラム画像記録媒体カートリッジは、長尺のホログラム用記録媒体を収納し、繰り出したホログラム用記録媒体に対して視差画像列の各要素画像に基づいて画像変調された物体レーザ光と、この物体レーザ光に対して可干渉性を有する参照レーザ光とが入射されることにより生じる干渉縞が要素ホログラムとして順次露光記録されるホログラム画像記録装置に装填して用いられる。ホログラム画像記録媒体カートリッジは、内部に収納したホログラム用記録媒体を繰出開口部から外部へと繰り出す外部光を遮光する遮光カートリッジ筐体の繰出開口部に対応位置してフィルム部材を設ける。
【００２８】
ホログラム画像記録媒体カートリッジにおいては、フィルム部材が、非ホログラム画像記録装置装填時には繰出開口部を閉塞するとともに、ホログラム画像記録装置装填時には繰出開口部を開口させて露光記録部に延在位置し、繰出開口部から繰り出されたホログラム用記録媒体を走行ガイドさせる。
【発明の効果】
【００２９】
以上のように構成された本発明にかかるホログラム画像記録媒体カートリッジによれば、フィルム部材により繰出開口部が閉塞されることにより持ち運び時等において外部光による遮光カートリッジ筐体内に収納したホログラム用記録媒体の感光が確実に防止される。ホログラム画像記録媒体カートリッジによれば、ホログラム画像記録装置に装填すると繰出開口部から繰り出されたホログラム用記録媒体が、フィルム部材により走行路中での詰まり等の発生が防止されて露光記録部へと確実に導かれて露光記録が行われるようになる。ホログラム画像記録媒体カートリッジによれば、ホログラム用記録媒体が、フィルム部材により裏打ちされた状態で露光記録部へと導かれることにより、安定した状態のホログラム画像記録用媒体に対して物体レーザ光及び参照レーザ光が入射されて要素ホログラムが高精度に露光記録されるようになる。
【発明を実施するための最良の形態】
【００３０】
以下、本発明を適用した具体的な実施の形態について図面を参照しながら詳細に説明する。ホログラフィックステレオグラム作成装置１０は、詳細を後述するようにホログラム用記録媒体３を収納したホログラム画像記録媒体カートリッジ４４（以下、カートリッジ４４と略称する。）が用いられ、カートリッジ４４から繰り出されたホログラム用記録媒体３に対して、露光記録部Ｐ１において、短冊状の多数個の要素ホログラムに基づく物体レーザ光Ｌ２と参照レーザ光Ｌ３とを入射して、これら物体レーザ光Ｌ２と参照レーザ光Ｌ３との干渉縞をそのまま露光記録してホログラフィックステレオグラムを作成する装置である。ホログラム用記録媒体３は、カートリッジ４４から繰り出されて後述する記録媒体送り機構３４によって間欠的に走行駆動される。なお、ホログラム用記録媒体３は、図１６によって説明したものと同等であることから、同一符号を付すことによってその詳細な説明を省略する。
【００３１】
ホログラフィックステレオグラム作成装置１０は、図１に示すように、露光記録対象の画像データの処理を行う画像データ処理部１１と、この装置全体の制御を行う制御用コンピュータ１３を有する制御部１２と、ホログラフィックステレオグラム作成用の光学系１５を有するホログラフィックステレオグラム作成部１４とから構成されている。
【００３２】
画像データ処理部１１は、画像処理用コンピュータ１６及び記憶装置１７を備え、多眼式カメラや移動式カメラ等を備えた視差画像列撮像装置１から供給される視差情報を含む多数の撮像画像データＤ１や、画像データ生成用コンピュータ２によって作成された視差情報を含む多数のコンピュータ画像データＤ２等の要素ホログラム画像データに基づいて、視差画像データ列Ｄ３を作成する。
【００３３】
なお、撮像画像データＤ１は、例えば多眼式カメラによる同時撮影或いは移動式カメラによる連続撮影により得られた複数画像分の画像データであり、視差情報が含まれてなる。また、コンピュータ画像データＤ２は、例えば、ＣＡＤ装置（Ｃｏｍｐｕｔｅｒ  Ａｉｄｅｄ  Ｄｅｓｉｇｎ）やＣＧ装置（Ｃｏｍｐｕｔｅｒ  Ｇｒａｐｈｉｃｓ）によって作成された視差情報を含む複数の画像データからなる。
【００３４】
画像データ処理部１１は、視差画像データ列Ｄ３に対して画像処理用コンピュータ１６によってホログラフィックステレオグラム用の所定の画像処理を施してホログラム画像データＤ４を作成する。ホログラム画像データＤ４は、例えばコンピュータのメモリやハードディスク装置等の記憶装置１７に一時格納される。画像データ処理部１１は、後述するようにホログラム用記録媒体３に要素ホログラム画像を露光記録する際に、記憶装置１７に格納されたホログラム画像データＤ４から１画像分毎の要素ホログラム画像データＤ５を順番に読み出し、これら要素ホログラム画像データＤ５を、制御部１２の制御用コンピュータ１３に送出する。
【００３５】
制御用コンピュータ１３は、ホログラフィックステレオグラム作成部１４を駆動して、画像データ処理部１１から供給された要素ホログラム画像データＤ５に基づく要素表示画像をホログラフィックステレオグラム作成部１４の一部にセットされたホログラム用記録媒体３に対して、短冊状の要素ホログラムとして順次露光記録させる。制御用コンピュータ１３は、後述するようにホログラフィックステレオグラム作成部１４の各機構の動作を制御する。
【００３６】
ホログラフィックステレオグラム作成部１４は、光学系１５を構成する各部材が支持基板１８に配設支持されるとともに、この支持基板１８をダンパ１９を介して装置筐体２０に支持してなる。光学系１５は、図１及び図２に示すように、入射レーザ光学系１５Ａ、物体レーザ光学系１５Ｂ及び参照レーザ光学系１５Ｃとからなる。物体レーザ光学系１５Ｂと参照レーザ光学系１５Ｃとは、物体レーザ光Ｌ２と参照レーザ光Ｌ３の干渉性を高めるために、物体レーザ光Ｌ２と参照レーザ光Ｌ３の露光記録部Ｐ１までのそれぞれの光路長がほぼ同一となるように構成されている。なお、ホログラフィックステレオグラム作成装置１０は、感光材であるホログラム用記録媒体３を用いることから、装置筐体２０が少なくとも光学系１５の遮光性を保持した構造となっている。
【００３７】
入射レーザ光学系１５Ａは、レーザ光Ｌ１を出射するレーザ光源２１と、このレーザ光Ｌ１を後段へ入射させ、又は遮断するシャッタ機構２２と、レーザ光Ｌ１を物体レーザ光Ｌ２と参照レーザ光Ｌ３とに分割するハーフミラー２３とから構成されている。レーザ光源２１は、例えば単一波長でかつ干渉性の良いレーザ光Ｌ１を出射する、半導体励起ＹＡＧレーザ装置や、空冷アルゴンイオンレーザ装置、空冷クリプトンレーザ装置等のレーザ装置によって構成される。
【００３８】
シャッタ機構２２は、要素ホログラム画像データＤ５の出力タイミングに対応して制御用コンピュータ１３から出力された制御出力Ｓ１により開閉動作され、レーザ光Ｌ１を後段の光学系を介して露光記録部Ｐ１に位置するホログラム用記録媒体３に入射させ、又はレーザ光Ｌ１のホログラム用記録媒体３への入射を遮断する。ハーフミラー２３は、入射されたレーザ光Ｌ１を、透過レーザ光と反射レーザ光とに分割する。レーザ光Ｌ１は、透過レーザ光が上述した物体レーザ光Ｌ２として用いられ、一方反射光レーザが参照レーザ光Ｌ３として用いられる。これら物体レーザ光Ｌ２と参照レーザ光Ｌ３とは、それぞれ後段に設けられた物体レーザ光学系１５Ｂ若しくは参照レーザ光学系１５Ｃに入射される。
【００３９】
なお、入射レーザ光学系１５Ａには、図示しないがレーザ光Ｌ１の進行方向を適宜変化させ、物体レーザ光Ｌ２と参照レーザ光Ｌ３の光路長を同一にする等を目的として全反射ミラー等を設けてもよい。また、シャッタ機構２２は、例えばシャッタ片を機械的に駆動するように構成したものや、音響光学変調器（ＡＯＭ：ａｃｏｕｓｔｏ−ｏｐｔｉｃａｌ  Ｍｏｄｕｌａｔｉｏｎ）を用いた電子シャッタによって構成したものであってもよく、要するにレーザ光Ｌ１を遮蔽、透過可能とする開閉自在なものであればよい。
【００４０】
物体レーザ光学系１５Ｂは、具体的には、光軸に沿ってその入力側からそれぞれ順に配列された、全反射ミラー２４と、第１のシリンドリカルレンズ２５と、コリメータレンズ２６と、投影レンズ２７及び第２のシリンドリカルレンズ２８等の光学部品によって構成される。第１のシリンドリカルレンズ２５は、凸レンズとピンホールとが組み合わされてなり、ハーフミラー２３を透過して全反射ミラー２４によって反射された物体レーザ光Ｌ２を後述する透過型液晶表示器２９の表示面幅に対応して一次元方向に拡散させる。
【００４１】
コリメータレンズ２６は、第１のシリンドリカルレンズ２５によって拡散された物体レーザ光Ｌ２を、平行レーザ光化して透過型液晶表示器２９へと導く。投影レンズ２７は、物体レーザ光Ｌ２を第２のシリンドリカルレンズ２８へと投影する。第２のシリンドリカルレンズ２８は、平行レーザ光化された物体レーザ光Ｌ２を、露光記録部Ｐ１において横方向に対して集光する作用を奏する。
【００４２】
物体レーザ光学系１５Ｂには、コリメータレンズ２６と投影レンズ２７との間に位置して透過型液晶表示器２９が配設されている。透過型液晶表示器２９には、制御用コンピュータ１３から出力された要素ホログラム画像データＤ５に基づいて要素ホログラム画像が順次表示される。なお、制御用コンピュータ１３は、要素ホログラム画像データＤ５の出力タイミングに対応して、駆動出力Ｓ２を後述するホログラム用記録媒体３の記録媒体送り機構３４に送出し、その動作制御を行うことにより、ホログラム用記録媒体３の送り動作を制御する。
【００４３】
以上のように構成された物体レーザ光学系１５Ｂにおいては、入射レーザ光学系１５Ａから分割されて入射される点光源状態の物体レーザ光Ｌ２が、第１のシリンドリカルレンズ２５によって拡散されるとともに、コリメータレンズ２６に入射することで平行レーザ光化される。物体レーザ光学系１５Ｂにおいては、コリメータレンズ２６を介して透過型液晶表示器２９に入射された物体レーザ光Ｌ２が、この透過型液晶表示器２９に表示された要素ホログラム画像に応じて画像変調されるとともに、投影レンズ２７を介して第２のシリンドリカルレンズ２８へと入射される。物体レーザ光学系１５Ｂは、シャッタ機構２２が開放動作されている間、画像変調された物体レーザ光Ｌ２を露光記録部Ｐ１のホログラム用記録媒体３に入射させて要素ホログラム画像に対応してこれを露光記録する。
【００４４】
参照レーザ光学系１５Ｃは、具体的には、光軸に沿ってその入力側からそれぞれ順に配列されたシリンドリカルレンズ３０と、コリメータレンズ３１と、全反射ミラー３２とから構成される。シリンドリカルレンズ３０は、上述した物体レーザ光学系１５Ｂの第１のシリンドリカルレンズ２５と同様に、凸レンズとピンホールとが組み合わされてなり、ハーフミラー２３によって反射分割された参照レーザ光Ｌ３を所定幅、すなわち透過型液晶表示器２９の表示面幅に対応して一次元方向に拡散させる。コリメータレンズ３１は、シリンドリカルレンズ３０によって拡散された参照レーザ光Ｌ３を平行レーザ光化する。全反射ミラー３２は、参照レーザ光Ｌ３を反射させて露光記録部Ｐ１のホログラム用記録媒体３の後方へと導いて入射させる。
【００４５】
なお、シャッタ機構２２は、上述したように入射レーザ光学系１５Ａに設けたが、かかる構成に限定されるものではなく、例えば露光記録部Ｐ１のホログラム用記録媒体３の前後に位置してそれぞれ物体レーザ光学系１５Ｂと参照レーザ光学系１５Ｃとに配設してもよい。かかるシャッタ機構２２は、ホログラム用記録媒体３に入射する物体レーザ光Ｌ２と参照レーザ光Ｌ３とを、ホログラム用記録媒体３に入射する直前において、同期させて入射又は遮断するような制御を行う構成にしてもよい。
【００４６】
以上のように構成された光学系１５は、上述したようにハーフミラー２３によって分割された物体レーザ光Ｌ２と参照レーザ光Ｌ３とのそれぞれのレーザ光学系１５Ｂ、１５Ｃの光路長がほぼ同一に構成されている。したがって、光学系１５は、物体レーザ光Ｌ２と参照レーザ光Ｌ３との干渉性の向上が図られて、より鮮明な再生像が得られるホログラフィックステレオグラムを作成する。
光学系１５には、振動等によって良好な状態のホログラフィックステレオグラムが作成されない虞が生じた場合に、ホログラム用記録媒体３の露光記録を停止させる干渉縞検出部３３が備えられている。干渉縞検出部３３は、上述した各光学系を介してそれぞれホログラム用記録媒体３に入射される物体レーザ光Ｌ２と参照レーザ光Ｌ３とによって形成される干渉縞の状態を検出する。干渉縞検出部３３は、例えばＣＣＤカメラ（Ｃｈａｒｇｅ  Ｃｏｕｐｌｅｄ  Ｄｅｖｉｃｅ  カメラ）によって構成され、ホログラム用記録媒体３のホログラフィックステレオグラムの露光形成領域と異にする検出領域に形成される干渉縞の揺らぎ状態を、レーザ光源２１から出射されるレーザ光Ｌ１の波長オーダで検出する。
【００４７】
干渉縞検出部３３は、検出領域に所定値以上の揺らぎ状態の干渉縞の出現を検出したときには、制御用コンピュータ１３に対して検出出力を送出する。制御用コンピュータ１３は、この検出出力に基づいてシャッタ機構２２を不動作状態とする。したがって、ホログラム用記録媒体３には、物体レーザ光Ｌ２と参照レーザ光Ｌ３との入射が遮断されることによって、ホログラフィックステレオグラムの作成が停止される。また、干渉縞検出部３３は、検出領域に形成される干渉縞が所定値内の揺らぎ状態であるときには、制御用コンピュータ１３に対する検出出力の送出を停止する。制御用コンピュータ１３は、これによってシャッタ機構２２を動作状態として、ホログラム用記録媒体３に物体レーザ光Ｌ２と参照レーザ光Ｌ３とが入射されるようにしてホログラフィックステレオグラムが作成されるようにする。
【００４８】
このように、ホログラフィックステレオグラム作成装置１０は、干渉縞検出部３３を備えることによって、物体レーザ光Ｌ２と参照レーザ光Ｌ３とによる干渉縞が安定な状態でホログラム用記録媒体３にホログラフィックステレオグラムが露光記録されることを可能とし、回折効率が高く、明るいホログラフィックステレオグラムを作成する。また、ホログラフィックステレオグラム作成装置１０は、干渉縞検出部３３を備えることにより、設置場所に制限を受けることがなく使い勝手が向上する。
【００４９】
なお、上述した干渉縞検出部３３は、ホログラム用記録媒体３の近傍に配設されて、その検出領域に形成される干渉縞の一部を検出するように構成したが、かかる構成に限定されるものではない。干渉縞検出部３３は、例えばミラー等を用いて物体レーザ光Ｌ２と参照レーザ光Ｌ３の一部を別の位置へと導いて干渉縞を形成するようにして、この干渉縞を検出するように構成してもよい。また、干渉縞検出部３３は、ハーフミラー等を用いて物体レーザ光Ｌ２と参照レーザ光Ｌ３とに分割した検出レーザ光によって干渉縞を形成し、この干渉縞を検出するように構成してもよい。更に、干渉縞検出部３３は、レーザ光源２１から出射されたレーザ光Ｌ１の一部を直接取り出して振動検出用の干渉縞を形成し、この干渉縞を検出するように構成してもよい。また、干渉縞検出部３３としては、光学系１５とは別の振動検出用の光学系を設け、この光学系による干渉縞を検出して振動を検出するように構成してもよい。
【００５０】
上述したようにホログラフィックステレオグラム作成装置１０は、詳細を後述するが、カートリッジ４４から繰り出されるホログラム用記録媒体３を図２（Ｂ）及び図３の矢印ａの方向へと１要素ホログラム分だけ間欠送りする記録媒体送り機構３４を備えている。記録媒体送り機構３４は、制御用コンピュータ１３から送出される駆動出力Ｓ２に基づいて、カートリッジ４４から繰り出されるホログラム用記録媒体３を間欠的に走行駆動する。また、ホログラフィックステレオグラム作成装置１０は、この記録媒体送り機構３４の動作に連動して制御用コンピュータ１３から送出される制御出力Ｓ１に基づいて、上述したシャッタ機構２２が動作されてレーザ光Ｌ１の光路を解放する。
ホログラフィックステレオグラム作成装置１０は、図１に示すように、上述した光学系１５の構成各部材や部品等をアルミ板やアルミ合金板等によって形成された支持基板（光学定盤）１８に搭載して構成されている。ホログラフィックステレオグラム作成装置１０は、上述したように外部から振動等が加えられた場合に、物体レーザ光Ｌ２及び参照レーザ光Ｌ３とが安定した状態でホログラム用記録媒体３に入射されないために、このホログラム用記録媒体３に良好な状態の干渉縞が露光記録されないといった事態が生じる。このため、ホログラフィックステレオグラム作成装置１０は、光学系１５等に対するかかる振動等の影響を抑制するために支持基板１８を複数個のダンパ１９によって支持している。
【００５１】
各ダンパ１９は、詳細を省略するが、例えば空気ばねやゴム、コイルばね等の弾性部材によって構成されており、一端部が支持基板１８に結合されてこれを保持するとともに、他端部が装置筐体２０のベース部材２０Ａの上部に固定されている。これらダンパ１９は、外部から光学系１５に加えられる振動等を、レーザ光Ｌ１の波長（約１μｍ）以下、より好ましくは１／５以下に抑制するように作用する。したがって、ホログラフィックステレオグラム作成装置１０は、外部から振動等が加えられた場合においても、光学系１５が安定した状態で保持されることから、物体レーザ光Ｌ２及び参照レーザ光Ｌ３とが揺るぎのない安定した状態でホログラム用記録媒体３に入射されるようにする。ホログラフィックステレオグラム作成装置１０は、これによって回折効率に優れ、明るいホログラフィックステレオグラムの作成を可能としている。
【００５２】
ホログラフィックステレオグラム作成装置１０は、後述する記録媒体送り機構３４によってカートリッジ４４から繰り出されるホログラム用記録媒体３を記録媒体走行系に沿って走行させる。ホログラム用記録媒体３は、後述するカートリッジ４４の内部に回転自在に備えられた巻芯４６に巻回され、第１繰出開口部４８から繰り出されて記録媒体送り機構３４によって記録媒体走行系を走行駆動される。ホログラフィックステレオグラム作成装置１０は、上述したようにホログラム用記録媒体３に対して要素ホログラムを露光記録する間において、このホログラム用記録媒体３にレーザ光Ｌ１の波長程度の微小な振動も生じさせないように安定した状態に保持する構成となっている。
【００５３】
記録媒体走行系は、図３に示すように、記録媒体送り機構３４と、ヒートローラ３５と、一対の排出ローラ３６ａ、３６ｂと、カッタ３７等によって略Ｓ字状を呈して構成される。記録媒体走行系には、記録媒体送り機構３４とヒートローラ３５との間に位置して、紫外線ランプ３８が配設されている。
【００５４】
記録媒体送り機構３４は、図３及び図５に示すように、相対向する一対のフレーム３９ａ、３９ｂに組み付けられ、カートリッジ４４から繰り出されたホログラム用記録媒体３を走行駆動させる駆動ローラ４０及びこの駆動ローラ４０に添動して回転するピンチローラ４１と、ステッピングモータ４２等によって構成されている。
【００５５】
駆動ローラ４０は、フレーム３９ａ、３９ｂに回転自在に軸支された駆動軸４３に回転方向に固定されて軸装されている。駆動軸４３は、図５に示すように、その一端部が一方のフレーム３９ａから突出されて駆動源を構成するステッピングモータ４２によって間欠的に回転駆動される。駆動ローラ４０は、その外周部にピンチローラ４１とでホログラム用記録媒体３を挟み込んでこのホログラム用記録媒体３を間欠的に走行駆動する。
【００５６】
ヒートローラ３５は、図３に示すように、駆動ローラ４０に対して参照レーザ光Ｌ３の入射側にやや変位した位置において配置されている。ヒートローラ３５は、その外周部にホログラム用記録媒体３を約半周の巻付角を以って掛け合わせて走行させる。また、ヒートローラ３５は、図示を省略するが内部にヒータが備えらており、約１２０℃程度の温度に保持されることによってホログラム用記録媒体３を加熱してそのフォトポリマ層５の屈折率変調度を増加させる。
【００５７】
排出ローラ３６ａ及び３６ｂは、制御部１２の制御用コンピュータ１３から送出される駆動出力Ｓ２によって駆動される図示しないステッピングモータによって、駆動ローラ４０と同期して間欠駆動される。排出ローラ３６ａ及び３６ｂは、ホログラム用記録媒体３を１要素画像分の露光記録終了毎に１要素ホログラムに対応して間欠的に送り出す。したがって、ホログラム用記録媒体３は、これら排出ローラ３６ａ及び３６ｂと上述した記録媒体送り機構３４とによって、露光記録部Ｐ１において撓むことなくヒートローラ３５の外周部に密着した状態で走行される。
【００５８】
カッタ３７は、制御用コンピュータ１２から送出される駆動出力Ｓ２によって駆動される図示しない駆動機構によって駆動され、走行するホログラム用記録媒体３を一定長さ、すなわちホログラム用記録媒体３に視差画像列の各画像データに基づく各ホログラフィックステレオグラムが全て露光記録されるとともに、この露光記録された部分が外部に排出された状態においてこれを切断する。したがって、ホログラフィックステレオグラム作成装置１０は、ホログラム用記録媒体３に対してホログラム画像が露光記録された領域を１枚のホログラフィックステレオグラムとして外部に排出する。
【００５９】
紫外線ランプ３８は、上述したように駆動ローラ４０とヒートローラ３５との間の記録媒体走行系に沿って配置されている。紫外線ランプ３８は、物体レーザ光Ｌ２と参照レーザ光Ｌ３との干渉縞によるホログラフィックステレオグラムが露光記録されたホログラム用記録媒体３に対して、１０００ｍＪ／ｃｍ2 程度のパワーの紫外線ＬＢを照射することにより、マトリクスポリマ中においてモノマＭの重合を完了させる。
【００６０】
以上のように構成されたホログラフィックステレオグラム作成装置１０においては、１要素画像分の露光記録終了毎に制御部１２の制御用コンピュータ１３から１要素ホログラムに対応した駆動出力Ｓ２が送出されることによってステッピングモータ４２が駆動され、駆動ローラ４０が所定角度だけ回転駆動される。ホログラフィックステレオグラム作成装置１０においては、これによってホログラム用記録媒体３が１要素ホログラムに対応した量を走行駆動されて露光記録部Ｐ１に未露光部位を対応位置させる。
【００６１】
ホログラフィックステレオグラム作成装置１０は、この状態でシャッタ機構２２が開放動作されてホログラム用記録媒体３に対してその表裏面から画像変調された物体レーザ光Ｌ２と参照レーザ光Ｌ３とを露光記録部Ｐ１のホログラム用記録媒体３に入射させ、要素ホログラム画像に対応した干渉縞を露光記録する。ホログラフィックステレオグラム作成装置１０は、１要素画像の露光記録が終了すると制御部１２の制御用コンピュータ１３から記録媒体送り機構３４に駆動出力Ｓ２が送出され、ホログラム用記録媒体３の走行駆動を行う。ホログラフィックステレオグラム作成装置１０は、以下順次この動作が行われることによって、ホログラフィックステレオグラムを作成する。
【００６２】
カートリッジ４４は、図４に示すように、全体を遮光状態に保持する遮光カートリッジ筐体４５と、この遮光カートリッジ筐体４５の内部に回転自在に支持されるとともに、外周部にホログラム用記録媒体３が巻回された巻芯４６と、ホログラム用記録媒体３にクリーニング処理を施す一対のクリーニング用フェルト部材４７ａ及び４７ｂとを備えてなる。また、カートリッジ４４には、ホログラム用記録媒体３を露光記録部Ｐ１へと繰り出す第１繰出開口部４８が設けられている。
【００６３】
また、カートリッジ４４には、遮光カートリッジ筐体４５の外部であり、かつ第１繰出開口部４８に対応して配置された複数の光学部品等からなり露光記録部Ｐ１を構成する露光記録部構体４９が付設されている。ホログラム用記録媒体３は、第１繰出開口部４８から露光記録部構体４９へと繰り出され、露光記録部構体４９を通過した後、第２繰出開口部５０から上述した記録媒体送り機構３４へと繰り出される。
【００６４】
巻芯４６は、遮光カートリッジ筐体４５の内部に回転自在に軸支された支軸５１と一体化されたもので、その外周部に長尺のホログラム用記録媒体３が巻回されており、ホログラム用記録媒体３を順次繰り出す役割を果たす。支軸５１には、図５に示すように、遮光カートリッジ筐体４５の内部に設置される仕切板５２から突出した一端部に詳細を後述するブレーキ機構５３が付設されている。
【００６５】
クリーニング用フェルト部材４７ａ及び４７ｂは、遮光カートリッジ筐体４５の内部において第１繰出開口部４８の近傍に設けられている。クリーニング用フェルト部材４７ａ及び４７ｂは、ホログラム用記録媒体３を幅方向の全域に亘り挟持して、遮光カートリッジ筐体４５から繰り出されるホログラム用記録媒体３の表面に付着した塵埃等を払拭除去するとともに、第１繰出開口部４８からの光を遮光する役割を有している。繰り出されたホログラム用記録媒体３は、第１繰出開口部４８を通過した後、遮光カートリッジ筐体４５に付設されている露光記録部構体４９へと送出される。
【００６６】
露光記録部構体４９は、図４に示すように物体レーザ光入射部構体５４と参照レーザ光入射部構体５５とからなり、ホログラム用記録媒体３に対する物体レーザ光Ｌ２と参照レーザ光Ｌ３との入射部を構成している。露光記録部構体４９は、遮光カートリッジ筐体４５に位置決めされて付設されるとともに、露光記録される各要素ホログラムの幅領域でホログラム用記録媒体３の幅方向の全域を保持する。
【００６７】
物体レーザ光入射部構体５４は、ルーバフィルム５６と一次元拡散板５７と透明基板５８と板ばね５９とスペーサ６０とからなり、物体レーザ光Ｌ２側の入射部を構成している。
【００６８】
ルーバフィルム５６は、微細な簾状の格子を有する光学部品からなり、一方の面がホログラム用記録媒体３の一方の面に接触される。ルーバフィルム５６は、ホログラム用記録媒体３を透過した参照レーザ光Ｌ３が、一次元拡散板５７に反射されて再びホログラム用記録媒体３に入射することにより不正な干渉縞が露光記録されることを防止する作用を奏する。
【００６９】
一次元拡散板５７は、入射される物体レーザ光Ｌ２を図４において縦方向、すなわちホログラム用記録媒体３に露光記録される各要素ホログラムの長軸方向に拡散させる光学部品であり、一方の面がルーバフィルム５６の他方の面と一体に貼り合わされて接合される。一次元拡散板５７は、作成されるホログラフィックステレオグラムに縦方向の視野角を付与するように作用する。
【００７０】
透明基板５８は、適当な厚さのガラス又は透明プラスチック等の透明材料からなる剛体であり、その一方の面に一次元拡散板５７が接合されて一体化され、更にこの一次元拡散板５７にルーバフィルム５６が貼り合わされている。透明基板５８には、他方の面から物体レーザ光Ｌ２が入射される。
【００７１】
一方、参照レーザ光入射部構体５５は、導光ブロック部材６１と参照レーザ光Ｌ３以外の光を遮断する遮光基板６２とからなり、参照レーザ光Ｌ３側の入射部を構成している。
【００７２】
導光ブロック部材６１は、透明基板５８と同様に、適当な厚さのガラス又は透明プラスチック等によって形成された剛体の部材であり、一方の面から参照レーザ光Ｌ３が入射される。導光ブロック部材６１は、他方の面がホログラム用記録媒体３と滑らかに接触した状態に保持されるように位置決めされる。したがって、導光ブロック部材６１は、図４に示すようにホログラム用記録媒体３と接触する面においてホログラム用記録媒体３と滑らかに接触するように、ホログラム用記録媒体３が供給される側と第２繰出開口部５０側がそれぞれ６１ａ及び６１ｂのように円弧面を呈して形成されている。
【００７３】
カートリッジ４４には、物体レーザ光入射部構体５４に対して、透明基板５８を参照レーザ光入射部構体５５側に付勢する板ばね５９が設けられている。カートリッジ４４は、ホログラフィックステレオグラム作成装置１０に装填されない状態において、ホログラム用記録媒体３が第２繰出開口部５０からその先端部を僅かに外界に晒された状態で物体レーザ光入射部構体５４と参照レーザ光入射部構体５５とによって保持されている。すなわち、カートリッジ４４は、板ばね５９の弾性力によってホログラム用記録媒体３を露光記録部構体４９に対応する位置で、更に具体的には露光記録部Ｐ１に対応する位置において物体レーザ光入射部構体５４と参照レーザ光入射部構体５５とで挟持圧接して保持する。したがって、カートリッジ４４は、遮光カートリッジ筐体４５の内部で遮光された状態に保たれるホログラム用記録媒体３が外部からの衝撃等によって繰り出されないように固定し、感光するのを防止する。
【００７４】
一方、カートリッジ４４は、ホログラフィックステレオグラム作成装置１０に装填されると、装置側に設けられる図示しないカム機構等によって、板ばね５９がホログラム用記録媒体３を圧接する作用を解除する方向へと動かされる。このことにより、カートリッジ４４は、ホログラム用記録媒体３の固定状態を解除し第２繰出開口部５０から記録媒体送り機構３４へと繰り出すことを可能とする。板ばね５９は、ホログラム用記録媒体３に対する圧接する力を完全には失わず、ホログラム用記録媒体３に対して物体レーザ光入射部構体５４と参照レーザ光入射部構体５５とで挟み込むように若干の負荷を与える程度に圧接した状態に保持されている。板ばね５９は、物体レーザ光入射部構体５４側に設けられるスペーサ６０を押圧する。参照レーザ光入射部構体５５は、遮光カートリッジ筐体４５に位置決めされて固定されているため、スペーサ６０が板ばね５９によって押圧されても動くことはない。
【００７５】
したがって、カートリッジ４４は、物体レーザ光入射部構体５４と参照レーザ光入射部構体５５との間に構成されるホログラム用記録媒体３の走行路を、ホログラム用記録媒体３が一方の面を導光ブロック部材６１の表面に滑らかに接触する程度の所定の間隔に保持する。したがって、カートリッジ４４においては、遮光カートリッジ筐体４５から繰り出されるホログラム用記録媒体３に対して弱いブレーキ力が作用されるように構成される。ホログラム用記録媒体３は、その走行駆動力とブレーキ力とのバランスを保つとともに、一方の面を導光ブロック部材５３に滑らかに接触させながらカートリッジ４４から繰り出されていく。ホログラム用記録媒体３は、上述した記録媒体送り機構３４の駆動ローラ４０及びピンチローラ４１によって保持されることで、露光記録部構体４９で形成される露光記録部Ｐ１において、その面を物体レーザ光学系１５Ｂと参照レーザ光学系１５Ｃの光軸に対して垂直な状態で走行する。なお、板ばね５９は、板ばねに限定されるものではなく、物体レーザ光入射部構体５４を参照レーザ光入射部構体５５側へ付勢する弾性手段であればよく、例えばコイルばねでもよい。
【００７６】
ブレーキ機構５３は、図５に示すように、巻芯４６の支軸５１に外側からこの順で装着されたテンション調節板６３と圧縮コイルばね６４とスリップ材６５とから構成される。テンション調節板６３は、支軸５１に対して固定して設けられている。スリップ材６５は、テンション調節板６３との間に圧縮状態で装着された圧縮コイルばね６４の弾性力によって仕切板５２に押し付けられている。ブレーキ機構５３は、支軸５１に対するテンション調節板６３の固定位置を調整することによって、圧縮コイルばね６４の弾性力が調整される。
【００７７】
ブレーキ機構５３は、以上のように構成されることによって、スリップ材６５を仕切板５２に押し付ける圧縮コイルばね６４の弾性力が支軸５１の回転動作の負荷となる。ブレーキ機構５３は、後述するようにステッピングモータ４２によって駆動ローラ４０が回転駆動されてホログラム用記録媒体３が間欠的に走行される際に、このホログラム用記録媒体３に対してブレーキ力を作用させる。勿論、ブレーキ機構５３は、圧縮コイルばね６４の弾性力がステッピングモータ４２の回転駆動力よりも小さく設定されており、ホログラム用記録媒体３の走行駆動を妨げることはない。
【００７８】
ブレーキ機構５３は、上述したようにホログラム用記録媒体３に対して走行負荷を付与することで、露光記録部Ｐ１におけるホログラム用記録媒体３の駆動時以外の振動の発生を抑制する。また、ブレーキ機構５３は、Ｓ字状の記録媒体走行系の構成と相俟って、ホログラム用記録媒体３が走行駆動された後に、オーバーラン等の不必要な動作が行われないようにするとともにこの走行動作に伴って発生したホログラム用記録媒体３の振動を速やかに停止させる。
【００７９】
ここで、ブレーキ機構５３を設けた巻芯４６は、剛体で形成された堅固なものであり、ホログラム用記録媒体３を弛緩なく巻回している。すなわち、ホログラム用記録媒体３は、記録媒体走行系の構成とブレーキ機構５３との作用により、引張りテンションが付加されるが、この引張りテンションの強さに応じて、巻芯４６に対して一端部を所定値以上の接着強度及び巻き付け力で巻回される。
【００８０】
ホログラム用記録媒体３は、巻芯４６に対して一端部を幅方向１０ｍｍ当たり１Ｎ以上の接合強度を以って接合されるとともに、１Ｎ／ｃｍ以上の巻き付け力を以って巻回される。
【００８１】
具体的には、ホログラム用記録媒体３は、幅方向１０ｍｍ当たりの引張りテンションが２００ｇｆ（約１．９６Ｎ）とされるため、巻芯４６との接着部においては接着強度が幅方向１０ｍｍ当たり４００ｇｆ（約３．９２Ｎ）以上で接着されるとともに、巻き付け力が３００ｇｆ／ｃｍ（約２．９４Ｎ／ｃｍ）以上の力で巻芯４６に巻回される。ホログラム用記録媒体３は、走行駆動時に生じる微小な振動が抑制された状態に保たれる。
【００８２】
また、カートリッジ４４は、図６及び図７に示すように、第１繰出開口部４８に一対の挟持ローラ６６ａ及び６６ｂを設けて、それらの支軸６７ａ及び６７ｂの一方又は両方に上述したようなブレーキ機構５０を設けてもよい。
【００８３】
なお、ブレーキ機構５０は、単純な圧縮コイルばね６４とスリップ材６５とで説明したが、例えばゴム等の静的なブレーキ機構が得られるものであれば適用可能である。
【００８４】
また、カートリッジ４４は、ブレーキ機構について図８に示すように、第１繰出開口部４８において、固定されたクリーニング用フェルト部材４７ａに対して、板ばね６８等の弾性手段によりもう一方のクリーニング用フェルト部材４７ｂを付勢することでホログラム用記録媒体３を挟持するように構成してもよい。カートリッジ４４は、このような構成によって、一対のクリーニング用フェルト部材４７ａ及び４７ｂがホログラム用記録媒体３のクリーニングや遮光の作用を奏するだけでなく、上述したブレーキ機構５３に代わって搬送時や露光記録時にホログラム用記録媒体３を保持するためのブレーキ手段としての作用を奏する。この場合、カートリッジ４４は、巻芯４６に対して上述した制約を加える必要はないが、適切な引張りテンションとなるように、一対のクリーニング用フェルト部材４７ａ及び４７ｂによってホログラム用記録媒体３を挟み込む力を調節するように構成される。
【００８５】
ホログラフィックステレオグラム作成装置１０は、ステッピングモータ４２を等速で間欠的に回転駆動させることにより、ホログラム用記録媒体３を走行駆動させ、その停止後、振動が減衰するのを待って露光記録を行ってもよいが、かかる構成に限定されるものではない。ホログラフィックステレオグラム作成装置１０は、例えば図１４に示すように、ホログラム用記録媒体３を駆動初期には徐々に加速しながら走行駆動させ、徐々に減速しながら停止させるように構成してもよい。ホログラフィックステレオグラム作成装置１０は、かかる構成と、上述したブレーキ機構５３やクリーニング用フェルト部材４７ａ及び４７ｂで構成されるブレーキ手段とにより、ホログラム用記録媒体３のオーバーランを完全に抑制し、また、記録媒体走行系全体の振動を確実に抑制する。したがって、ホログラフィックステレオグラム作成装置１０は、露光記録前の振動減衰待ちの時間が短縮され、ホログラフィックステレオグラムを効率的に作成する。
【００８６】
なお、ホログラフィックステレオグラム作成装置１０においては、駆動から露光記録までの時間をできる限り一定にすることが望ましい。しかしながら、ホログラム用記録媒体３は、時間経過に伴うそれ自体の伸張や各ローラや駆動伝達系のすべりや遊び又は記録媒体送り機構３４の各部材のバックラッシ等の特性の変化等による影響のために、所定の引張りテンションが低下することがある。そのため、ホログラフィックステレオグラム作成装置１０は、露光記録前にホログラム用記録媒体３を所定量だけ間欠送りし、振動減衰待ちのために所定時間待機した後、露光記録する。
【００８７】
このように、カートリッジ４４は、ホログラム用記録媒体３を内部に遮光状態を保持して収納する。また、カートリッジ４４は、露光記録時に加えられる微小な振動の発生を確実に抑制するとともに、走行されたホログラム用記録媒体３を速やかに安定した状態で停止させることから、安定した干渉縞がホログラム用記録媒体３に露光記録されるようにする。更に、カートリッジ４４は、これらの機能を果たす露光記録部構体４９やブレーキ機構５３等を付設してユニット化しているため、ホログラフィックステレオグラム作成装置１０のメンテナンス性を向上させることができる。
【００８８】
なお、ホログラフィックステレオグラム作成装置１０においては、露光記録部構体４９等のカートリッジ４４に付設された部品とカートリッジ４４とが、再度同じ位置関係を保つことが重要となる。そこで、これらの部品及びカートリッジ４４には、容易に着脱できるように、例えばピンや凹部等の位置決め手段が設けられる。
【００８９】
第２の実施の形態として図９及び図１０に示すホログラム画像記録媒体カートリッジ６９（以下、カートリッジ６９と略称する。）は、露光記録部Ｐ１において、インデックスマッチング液を用いるように構成したことを特徴とする。カートリッジ６９は、その他の構成を上述したカートリッジ４４と同等とすることから、同等部位には同一符号を付すことによってその説明を省略する。
【００９０】
露光記録部構体７０は、物体レーザ光入射部構体５４と参照レーザ光入射部構体７１とからなり、ホログラム用記録媒体３に対する物体レーザ光Ｌ２と参照レーザ光Ｌ３との入射部を構成している。露光記録部構体７０は、遮光カートリッジ筐体４５に位置決めされて付設されるとともに、露光記録される各要素ホログラムの幅領域でホログラム用記録媒体３の幅方向の全域を保持する。露光記録部構体７０は、参照レーザ光入射部構体７１において、導光ブロック部材７２とホログラム用記録媒体３との間にインデックスマッチング液を注入するための、インデックスマッチング液供給機構７３を有している。
【００９１】
ホログラフィックステレオグラム作成装置１０は、ホログラム用記録媒体３と導光ブロック部材７２との間において屈折率が大きく変化する場合には、ホログラム用記録媒体３の面に対して鋭角に入射された参照レーザ光Ｌ３が、ホログラム用記録媒体３と導光ブロック部材７２との界面で全反射する等の問題を生じることがある。インデックスマッチング液は、このような問題を解決するものであり、ホログラム用記録媒体３と導光ブロック部材７２との間における屈折率を合わせるものである。
【００９２】
インデックスマッチング液供給機構７３は、導光ブロック部材７２の一部に形成されるものである。導光ブロック部材７２は、図１０に示すように、ホログラム用記録媒体３と接触する面側に、例えば直径が１ｍｍ以下である複数の供給小孔７４が穿設されている。これらの供給小孔７４は、導光ブロック部材７２の下面に設けられる供給路７５を介してインデックスマッチング液が供給されている液タンク７６と繋がっている。
【００９３】
インデックスマッチング液供給機構７３は、供給小孔７４から液タンク７６までの区間が閉流路になっている。そのため、インデックスマッチング液供給機構７３は、インデックスマッチング液として揮発性の液体を用いるときでも液体の揮発を防止する。また、インデックスマッチング液供給機構７３は、ホログラム用記録媒体３と接触する供給小孔７４に作用する空気圧と液タンク７６の内部における液面に作用する空気圧とのバランスによって、液体を供給小孔７４から必要以上に流出させることがない。
【００９４】
なお、インデックスマッチング液供給機構７３は、導光ブロック部材７２に設けられた供給小孔７４や供給路７５を、物体レーザ光Ｌ２及び参照レーザ光Ｌ３の光路から変位した位置に配しているが、完璧にインデックスマッチングを行うことができれば、これらの供給小孔７４や供給路７５を光路内に設けてもよい。
【００９５】
インデックスマッチング液は、ホログラム用記録媒体３がローディングされて導光ブロック部材７２に接触すると、表面張力の作用によって供給小孔７４から供給され、ホログラム用記録媒体３と導光ブロック部材７２との間を満たす。
【００９６】
このことにより、ホログラム用記録媒体３は、露光記録時の振動が最小限に抑制される。したがって、ホログラフィックステレオグラム作成装置１０は、作成されるホログラフィックステレオグラムの画質が向上する。
【００９７】
また、ホログラフィックステレオグラム作成装置１０は、インデックスマッチング液がホログラム用記録媒体３と導光ブロック部材７２との間を満たすことで、エッジリット方式による要素ホログラムの露光記録に好適なものになる。エッジリット方式とは、ホログラム用記録媒体に導光ブロック部材を貼り付けて露光記録部において要素ホログラムを露光記録するものである。
【００９８】
ホログラフィックステレオグラム作成装置１０は、インデックスマッチング液を介すことにより、ホログラム用記録媒体３と導光ブロック部材７２とが一体化したものと同一の作用を奏するため、エッジリット方式での露光記録に適している。したがって、ホログラフィックステレオグラム作成装置１０は、作成されるホログラフィックステレオグラムの画質が向上する。
【００９９】
インデックスマッチング液供給機構７３は、露光記録部構体７０とともに、カートリッジ６９に対してピンや凹部等の位置決め手段によって位置決めされて付設される。このため、カートリッジ６９は、インデックスマッチング液を例えばホログラム用記録媒体３の格納量から見積もられる大凡の消費量に見合った分だけを液タンク７６に保有させておけば、カートリッジ６９の交換時に同時にインデックスマッチング液を交換できる。したがって、カートリッジ６９は、ホログラフィックステレオグラム作成装置１０のメンテナンス性を大幅に向上させることができる。
【０１００】
本発明の実施の形態として図１１及び図１２に示すホログラム画像記録媒体カートリッジ７７（以下、カートリッジ７７と略称する。）は、第１の実施の形態における露光記録部構体４９を付設せずに、保護フィルム７８を設けたことを特徴とする。カートリッジ７７は、その他の構成を上述したカートリッジ４４と同等とすることから、同等部位には同一符号を付すことによってその説明を省略する。
【０１０１】
カートリッジ７７は、第１繰出開口部４８を覆うように配される保護フィルム７８を設けている。保護フィルム７８は、接着フィルム７９と遮光フィルム８０と光透過性フィルム８１とからなり、これらがこの順序にしたがった１枚の連続したフィルムとして形成される。
【０１０２】
接着フィルム７９は、カートリッジ７７において、遮光カートリッジ筐体４５の側壁４５ａに常時接着固定される。保護フィルム７８は、接着フィルム７９が常時接着固定されていることで、確実な位置決めがなされる。遮光フィルム８０は、黒色に加工された遮光性を有するものであり、カートリッジ７７の内部に収納されているホログラム用記録媒体３を感光させない役割を果たす。光透過性フィルム８１は、ホログラム用記録媒体３及び露光記録部構体８２の参照レーザ光入射部構体８３における導光ブロック部材８４の屈折率とほぼ同一の屈折率を有する透明な材料で形成されている。そのため、光透過性フィルム８１は、良好な光透過性を有するとともに、ホログラム用記録媒体３や導光ブロック部材８４との界面で複屈折を生じさせないものである。
【０１０３】
保護フィルム７８は、カートリッジ７７がホログラフィックステレオグラム作成装置１０に装填されずに単体の状態であるときには、図１１に示すように、自然な曲線を描きながら接着フィルム７９を固定基準として第１繰出開口部４８の近傍に配置されている。このとき、遮光フィルム８０は、カートリッジ７７の内部に収納されているホログラム用記録媒体３を感光させないように第１繰出開口部４８を覆っている。また、光透過性フィルム８１は、長尺のホログラム用記録媒体３の先端部を僅かに頭出ししながらホログラム用記録媒体３と密着するとともに、カートリッジ７７の側壁４５ｂに沿って付着している。
【０１０４】
保護フィルム７８は、カートリッジ７７がホログラフィックステレオグラム作成装置１０に装填されると、図１２に示すように、ホログラム用記録媒体３及び光透過性フィルム８１とが側壁４５ｂから剥離されるとともに、遮光フィルム８０が第１繰出開口部４８を開口する。なお、カートリッジ７７は、ホログラフィックステレオグラム作成装置１０に装填されることで遮光が保たれるため、第１繰出開口部４８が開口することによってホログラム用記録媒体３が感光することはない。
【０１０５】
剥離された光透過性フィルム８１は、一方の面をホログラム用記録媒体３と接触させるとともに、物体レーザ光入射部構体８５と参照レーザ光入射部構体８３とにより形成されるホログラム用記録媒体３の走行路へと導かれる。また、光透過性フィルム８１は、他方の面が参照レーザ光入射部構体８３における導光ブロック部材８４と間隙なく接触される。すなわち、光透過性フィルム８１は、ホログラム用記録媒体３と導光ブロック部材８４とによって挟み込まれる。光透過性フィルム８１は、ホログラム用記録媒体３の走行駆動に伴い、ホログラム用記録媒体３と接触している面がホログラム用記録媒体３と滑りながら接触状態を保つ。
【０１０６】
以上の構成により、ホログラフィックステレオグラム作成装置１０は、作成されるホログラフィックステレオグラムの画質が向上する。
【０１０７】
また、保護フィルム７８は、カートリッジ７７に付設されているため、例えばホログラム用記録媒体３の走行駆動に伴う滑り摩擦等に起因する傷が生じても、カートリッジ７７の交換時に同時に交換できる。したがって、カートリッジ７７は、ホログラフィックステレオグラム作成装置１０のメンテナンス性を大幅に向上させることができる。なお、保護フィルム７８は、その面にハードコートを施すことや、ガラス等により構成することで、耐久性が向上する。
【０１０８】
また、カートリッジ７７は、保護フィルム７８の両面或いは一方の面に、インデックスマッチング液を供給するように、第２の実施の形態で示したような機構を設けることで、保護フィルム７８の耐久性を向上させることができる。
【０１０９】
なお、ホログラフィックステレオグラム作成装置１０においては、クリーニング用フェルト部材４７ａ等のカートリッジ７７に付設された部品とカートリッジ７７とが、再度同じ位置関係を保つことが重要となる。そこで、これらの部品及びカートリッジ７７には、容易に着脱できるように、例えばピンや凹部等の位置決め手段が施される。
【０１１０】
第４の実施の形態として図１３に示すホログラム画像記録媒体カートリッジ８６（以下、カートリッジ８６と略称する。）は、第１の実施の形態を変形したものであることから、カートリッジ４４と同等部位には同一符号を付すことによってその説明を省略する。
【０１１１】
カートリッジ８６は、露光記録部構体８７として導光ブロック部材９０を物体レーザ光Ｌ２が入射する側に付設している。露光記録部構体８７は、物体レーザ光入射部構体８８がホログラム用記録媒体３に対する露光記録部Ｐ１において物体レーザ光Ｌ２が入射する側に配されており、物体レーザ光Ｌ２の入射部を構成している。物体レーザ光入射部構体８８は、一次元拡散板８９と導光ブロック部材９０と遮光基板９１ａ及び９１ｂとからなる。
【０１１２】
導光ブロック部材９０は、ホログラム用記録媒体３が供給される側と第２繰出開口部５０側において９０ａ及び９０ｂのように円弧面を呈する一方の面に、導光ブロック部材９０の屈折率に近い屈折率を有する光学接着剤によって接着される一次元拡散板８９と一体化している。また、導光ブロック部材９０は、その上面に遮光基板９１ａを配し、外部からの余計な光から遮断される。
【０１１３】
物体レーザ光入射部構体８８は、遮光基板９１ｂが、カートリッジ８６における第１繰出開口部４８を構成する遮光カートリッジ筐体４５の一側壁として位置決め手段により取り付けられるとともに、導光ブロック部材９０を保持する。物体レーザ光入射部構体８８は、露光記録部Ｐ１において、ホログラム用記録媒体３の面が物体レーザ光学系１５Ｂと参照レーザ光学系１５Ｃの光軸に対して垂直に位置されるように遮光基板９１ｂを介してカートリッジ８６に付設される。この構成によって、カートリッジ８６は、露光記録部構体８７をホログラム用記録媒体３に密着させるように特別な機構を設ける必要がない。なお、遮光基板９１ｂは、導光ブロック部材９０に入射した物体レーザ光Ｌ２やその他の光を遮光カートリッジ筐体４５の内部に入射させないように機能する。
【０１１４】
以上の構成により、露光記録部構体８７は、カートリッジ８６に付設されているため、カートリッジ８６の交換時に同時に交換できる。したがって、カートリッジ８６は、ホログラフィックステレオグラム作成装置１０のメンテナンス性を大幅に向上させることができる。
【０１１５】
また、カートリッジ８６は、露光記録部構体８７を付設しない構成でもよい。この場合、カートリッジ８７は、第３の実施の形態のように、例えば一次元拡散機能を有するフィルム或いはガラス等をホログラム用記録媒体３とともに供給する構成にすればよい。
【０１１６】
以上、説明してきた実施の形態は、上述した構成に限定されるものではなく、例えば、複数の実施の形態を組み合わせた構成や、実施の形態の一部のみを用いた構成等、ホログラム画像記録媒体カートリッジに特徴があれば、本発明の要旨を逸脱しない範囲で変更可能である。
【０１１７】
また、上述した各ホログラム画像記録媒体カートリッジは、横方向の視差情報のみを有するホログラフィックステレオグラム（いわゆるＨｏｒｉｚｏｎｔａｌ  Ｐａｒａｌｌａｘ  Ｏｎｌｙ）を露光記録するホログラフィックステレオグラム作成装置１０に用いられるものとして説明したが、本発明は、横方向及び縦方向の視差情報を有するホログラフィックステレオグラム（いわゆるＦｕｌｌ  Ｐａｒａｌｌａｘ）を作成するホログラフィックステレオグラム作成装置にも適用可能であることは勿論である。かかるホログラフィックステレオグラム作成装置においては、物体レーザ光Ｌ２と参照レーザ光Ｌ３とをシリンドリカルレンズ２４及び３３で短冊状に集光する代わりにドット状に集光させるとともに、ホログラム用記録媒体３を集光位置に対して相対的に二次元的に移動させて全面露光を行うように構成される。
更に、上述したホログラフィックステレオグラム作成装置１０は、ホログラム用記録媒体３に要素ホログラム画像をモノクロで露光記録する装置であるが、本発明はかかるホログラフィックステレオグラム作成装置に限定されるものではない。ホログラフィックステレオグラム作成装置は、例えば赤、緑、青の３原色のレーザ光源を備えるとともに、これらレーザ光源に対応して各光学系と液晶表示装置とを備えることによって、ホログラム用記録媒体３に合成された要素ホログラム画像をカラーで露光記録する装置であってもよい。
【図面の簡単な説明】
【０１１８】
【図１】本発明の実施の形態として示すホログラフィックステレオグラム作成装置の全体構成を模式的に説明した図である。
【図２】同ホログラフィックステレオグラム作成装置の光学系を模式的に説明した図である。
【図３】同ホログラフィックステレオグラム作成装置に装填されたホログラム画像記録媒体カートリッジ及び同ホログラフィックステレオグラム作成装置に備えられた記録媒体走行系を示す平面図である。
【図４】同ホログラフィックステレオグラム作成装置に装填されたホログラム画像記録媒体カートリッジを示す模式図である。
【図５】同ホログラフィックステレオグラム作成装置に装填されたホログラム画像記録媒体カートリッジ及び同ホログラフィックステレオグラム作成装置に備えられた記録媒体送り機構を示す正面図であり、巻芯の一端部にブレーキ機構を設けている様子を説明する図である。
【図６】同ホログラフィックステレオグラム作成装置に装填されたホログラム画像記録媒体カートリッジ及び同ホログラフィックステレオグラム作成装置に備えられた記録媒体走行系を示す平面図であり、ホログラム画像記録媒体カートリッジの内部に一対の挟持ローラを配設している様子を説明する図である。
【図７】同ホログラフィックステレオグラム作成装置に装填されたホログラム画像記録媒体カートリッジ及び同ホログラフィックステレオグラム作成装置に備えられた記録媒体送り機構を示す正面図であり、挟持ローラの一端部にブレーキ機構を設けている様子を説明する図である。
【図８】同ホログラフィックステレオグラム作成装置に装填されたホログラム画像記録媒体カートリッジ及び同ホログラフィックステレオグラム作成装置に備えられた記録媒体走行系を示す平面図であり、ホログラム画像記録媒体カートリッジの内部に一対のクリーニング用フェルト部材を配設し、板ばねによって一方のクリーニング用フェルト部材を付勢している様子を説明する図である。
【図９】第２の実施の形態として示すホログラム画像記録媒体カートリッジをホログラフィックステレオグラム作成装置に装填した状態を示す模式図である。
【図１０】同ホログラフィックステレオグラム作成装置に装填されたホログラム画像記録媒体カートリッジに備えられるインデックスマッチング液供給機構を説明する概略斜視図である。
【図１１】第３の実施の形態として示すホログラム画像記録媒体カートリッジがホログラフィックステレオグラム作成装置に装填されない状態を示す模式図であり、保護フィルムが繰出開口部を覆っている様子を説明する図である。
【図１２】同ホログラフィックステレオグラム作成装置に装填されたホログラム画像記録媒体カートリッジを示す模式図であり、保護フィルムがホログラム用記録媒体と導光ブロック部材の間に供給されている様子を説明する図である。
【図１３】同ホログラフィックステレオグラム作成装置に装填された第４の実施の形態として示すホログラム画像記録媒体カートリッジの模式図であり、導光ブロック部材を物体レーザ光側に設けている様子を説明する図である。
【図１４】ホログラム用記録媒体の駆動速度の時間変化を表す説明図である。
【図１５】同ホログラフィックステレオグラム作製装置に用いられるホログラム用記録媒体を説明する要部断面図である。
【図１６】同ホログラム用記録媒体の感光プロセスの説明図であり、同図（Ａ）は初期状態を示し、同図（Ｂ）は露光状態を示し、同図（Ｃ）は定着状態を示す。
【図１７】従来のホログラフィックステレオグラム作成装置の光学系を模式的に説明した図である。
【符号の説明】
【０１１９】
３  ホログラム用記録媒体、  １０  ホログラフィックステレオグラム作成装置、  １１  画像データ処理部、  １２  制御部、  １３  制御用コンピュータ、  １４  ホログラフィックステレオグラム作成部、  １５  光学系、  １５Ａ  入射レーザ光学系、  １５Ｂ  物体レーザ光学系、  １５Ｃ  参照レーザ光学系、  １６  画像処理コンピュータ、  １７  記憶装置、  ２１  レーザ光源、  ２２  ハーフミラー、  ２８  透過型液晶表示器、  ３４  記録媒体送り機構、  ４４，６９，７７，８６  ホログラム画像記録媒体カートリッジ（カートリッジ）、  ４５  遮光カートリッジ筐体、  ４６  巻芯、  ４７ａ，４７ｂ  クリーニング用フェルト部材、  ４８  第１繰出開口部、  ４９，７０，８２，８７  露光記録部構体、  ５０  第２繰出開口部、  ５３  ブレーキ機構、  ５４，８５，８８  物体レーザ光入射部構体、  ５５，７１，８３  参照レーザ光入射部構体、  ５８  透明基板、  ６１，７２，８４，９０  導光ブロック部材、  ６６ａ，６６ｂ  挟持ローラ、  ６８  板ばね、  ７３  インデックスマッチング液供給機構、  ７８  保護フィルム、  ８０  遮光フィルム、  ８１  光透過性フィルム、  Ｌ１  レーザ光、  Ｌ２  物体レーザ光、  Ｌ３  参照レーザ光
【図１】
2008112174.tif 000003
【図２】
2008112174.tif 000004
【図３】
2008112174.tif 000005
【図４】
2008112174.tif 000006
【図５】
2008112174.tif 000007
【図６】
2008112174.tif 000008
【図７】
2008112174.tif 000009
【図８】
2008112174.tif 000010
【図９】
2008112174.tif 000011
【図１０】
2008112174.tif 000012
【図１１】
2008112174.tif 000013
【図１２】
2008112174.tif 000014
【図１３】
2008112174.tif 000015
【図１４】
2008112174.tif 000016
【図１５】
2008112174.tif 000017
【図１６】
2008112174.tif 000018
【図１７】
2008112174.tif 000019